(57)【特許請求の範囲】
【請求項１】
カード状電子機器の少なくとも一部が挿入される機器挿入穴を有する保持具本体を備え、
上記保持具本体には、
上記機器挿入穴の開口部に一端が固定された可撓性を有する細長い棒状のバンド部材と、
上記機器挿入穴の開口部の近傍に設けられると共に上記バンド部材に設けた係止孔に係合可能な係止ピンと、を設け、
上記機器挿入穴に一部が挿入された上記カード状電子機器に上記バンド部材を巻き付けると共に上記係止孔を上記係止ピンに係止することにより当該カード状電子機器を保持可能としたことを特徴とするカード状電子機器用保持具。
【請求項２】
上記保持具本体は、帯電防止剤が含有されたエラストマ又はプラスチックスにより形成したことを特徴とする請求項１記載のカード状電子機器用保持具。
【請求項３】
上記保持具本体は、その表面をフッ素樹脂でコーティングすることにより防水層を設けたことを特徴とする請求項１又は２記載のカード状電子機器用保持具。
【発明の詳細な説明】
【０００１】
【技術分野】
本発明は、フラッシュＥＥＰＲＯＭ等の半導体メモリが板状の外装ケース内に収納された「メモリスティック」と呼ばれている半導体記憶媒体や「スモールＰＣカード」と呼ばれている半導体記憶媒体その他のカード状電子機器を保持することができるカード状電子機器用保持具に関するものである。
【０００２】
【背景技術】
近年では、いわゆるノート型パーソナルコンピュータと呼ばれる携帯型のパーソナルコンピュータやデジタルカメラと呼ばれる電子スチルカメラ等が普及され、また、携帯型の音楽再生装置、例えば、ＣＤ（コンパクトディスク）プレーヤやＭＤ（ミニディスク）プレーヤ等の電子機器については、更なる装置の小型化が進んでいる。
【０００３】
このような時代において、例えば、ノート型パーソナルコンピュータとデジタルカメラを電気的に接続し、デジタルカメラで撮影した画像を映像信号に変換してノート型パーソナルコンピュータに取り込み、その映像信号をインターネットを介して所定の端末装置（例えば、別のパーソナルコンピュータ）に送信することが可能となっている。また、パーソナルコンピュータをインターネットを介して他のパーソナルコンピュータに接続し、音楽やその他の情報をダウンロードして楽しむことができるようにもなっている。
【０００４】
このように最近では、例えば、パーソナルコンピュータとデジタルカメラを接続して必要な映像データをこれらの機器間で相互に送信及び受信したり、パソコンに音楽再生装置を接続してインターネットを介して音楽をダウンロードしたり、複数のパーソナルコンピュータを接続して情報データを送信及び受信すること等が、一般的に行われるようになった。
【０００５】
このような環境下において、情報データの遣り取りには携帯に便利な小型の記憶装置であるカード状電子機器が使用されており、そのカード状電子機器の使用量も年々増加する傾向にある。
【０００６】
かかるカード状電子機器としては、例えば、半導体記憶媒体を使用して情報データを記憶するようにしたものが提供されている。この半導体記憶媒体を用いたカード状電子機器は、一般に、次のようにして用いられている。
【０００７】
例えば、カード状電子機器をデジタルカメラに装着した状態で撮影を行うことにより、撮影した画像を情報データとしてカード状電子機器に記憶することができる。この画像が記憶されたカード状電子機器をデジタルカメラから取り出した後、パーソナルコンピュータに装着して情報データを読み出すことにより、その情報データに対応した画像を画面上に再生することができる。
【０００８】
このように、情報データを記憶するためにデジタルカメラ等にカード状電子機器を用いることにより、次のような問題点を解決することができるようになった。
【０００９】
その１は、デジタルカメラで撮影した映像を所定の受信者に送る場合には、デジタルカメラをパーソナルコンピュータに接続すると共に、そのパーソナルコンピュータをインターネットに接続して送信するのであるが、デジタルカメラとパーソナルコンピュータが同時に同じ場所にあるとは限らず、パーソナルコンピュータのある場所にデジタルカメラを持ち運びしなければならないという面倒があった。
【００１０】
その２は、デジタルカメラとパーソナルコンピュータを接続して使用する場合には、複数の接続コードでお互いの端子部間を接続したり、それぞれの機能を関連動作させる操作が必要である等の理由から、使い勝手が悪いという問題があった。
【００１１】
このような問題点に対して、カード状電子機器として半導体記憶媒体を用いる場合には、その半導体記憶媒体はデジタルカメラやパーソナルコンピュータに比べて非常に小さく且つ軽量であるため、持ち運びもほとんど苦にならないといった便利さがある。また、デジタルカメラやパーソナルコンピュータに対する半導体記憶媒体の出し入れ操作を極めて簡単に行うことができる。更に、音楽をダウンロードする場合には、パーソナルコンピュータのある場所に半導体記憶媒体があればよいため、音楽のダウンロードを簡単に行うことができて非常に便利である。
【００１２】
このようなカード状電子機器の一具体例を示す半導体記憶媒体としては、例えば、本願特許出願人が開発したもので、一般に「メモリスティック」と呼ばれているものがある。この半導体記憶媒体は、略長方形をなす薄くて偏平な外装ケースを有し、この外装ケース内に記憶容量の大きなフラッシュメモリが収納されている。また、外装ケースの挿入方向前側となる先端部には、多数のコネクタピンを一面側に露出させた端子部が設けられている。更に、外装ケースの両側部には、ドライブ装置に対する半導体記憶媒体の位置決め等を目的とする凹部が設けられている。
【００１３】
しかしながら、このような半導体記憶媒体においては、デジタルカメラやパーソナルコンピュータ等と接続するための端子部のコネクタピンが外部に露出されて剥き出しになっていたため、この半導体記憶媒体を乱雑に保管すると、端子部に埃やチリが付着して導電性が悪くなったり、他の物との接触によって傷が付くおそれがあり、性能の劣化を招くことがあるという課題があった。更に、端子部に水滴が付着すると、端子部に錆が発生したり、メモリが破壊される恐れがあった。
【００１４】
また、半導体記憶媒体が小さいものであるため、個々に置いておくと紛失し易いという課題があった。
【００１５】
本発明は、このような従来の課題に鑑みてなされたものであり、カード状電子機器の少なくとも一部を保持して埃やチリ、水滴等の付着を防止し、導電性の劣化や錆の発生による破損の防止等を図ることができるカード状電子機器用保持具を提供することを目的としている。
【００１７】
【発明の開示】
本発明のカード状電子機器用保持具は、カード状電子機器の少なくとも一部が挿入される機器挿入穴を有する保持具本体を備え、保持具本体には、機器挿入穴の開口部に一端が固定された可撓性を有する細長い棒状のバンド部材と、機器挿入穴の開口部の近傍に設けられると共にバンド部材に設けた係止孔に係合可能な係止ピンと、を設け、機器挿入穴に一部が挿入されたカード状電子機器にバンド部材を巻き付けると共に係止孔を係止ピンに係止することによりカード状電子機器を保持可能とした。
【００１８】
【発明を実施するための最良の形態】
以下、本発明の実施の形態を添付図面を参照して説明する。図１〜図４５は、本発明の前提となる技術の実施の例を示すもので、図４６は、本発明の実施の例を示すものである。
【００１９】
まず、本発明の前提となる技術のカード状電子機器用保持具に使用されるカード状電子機器について説明する。図１５は、カード状電子機器の第１の実施例を示す半導体記憶媒体を示すもので、一般に「メモリスティック」と呼ばれているものである。この半導体記憶媒体（メモリスティック）１は、薄くて扁平な直方体の筐体からなる外装ケース２を有している。この外装ケース２の内部に、情報が記憶される情報記憶部として記憶容量の大きな不揮発性半導体メモリであるフラッシュＥＥＰＲＯＭが収納されている。この情報記憶部としてはフラッシュＥＥＰＲＯＭに限定されるものではなく、半導体を用いたメモリであれば他の形式のものを適用することができる。
【００２０】
外装ケース２は、上下方向に重ね合わされて一体化されるプラスチック製の一対の上ケース２ａと下ケース２ｂとから構成されている。この上下ケース２ａ，２ｂを重ね合わせることによって内部に中空の媒体収納室が形成され、その媒体収納室内に複数のフラッシュＥＥＰＲＯＭと、これらフラッシュＥＥＰＲＯＭを制御するコントローラとが収納されている。この上下ケース２ａ，２ｂを重ね合わせた状態で、例えば、超音波を加えて接合面を融解させることにより、溶けた部分が接着剤となって上下ケース２ａ，２ｂが接合され、これにより外装ケース１が一体に構成される。
【００２１】
外装ケース２の一の角部には、長手方向の一方の短辺から一方の側面に向かって緩やかに湾曲された曲面を有するガイド部３と、このガイド部３に側面が開口され且つ下面にも開口された切欠き部４とが設けられている。このガイド部３及び切欠き部４は、この半導体記憶媒体１が使用される電子機器（例えば、デジタルカメラと呼ばれる電子スチルカメラ、パーソナルコンピュータ等）に対して半導体記憶媒体１が誤って挿入されるのを防止する役目を有する。
【００２２】
これに対応して、電子機器の記憶媒体収納部の所定位置には誤挿入を防止するための凸部が設けられている。これにより、半導体記憶媒体１を正常な状態で挿入したときには、挿入側の先端に設けられた切欠き部４に誤挿入防止用凸部が入り込み、その凸部が所定位置まで係合されることにより、半導体記憶媒体１が記憶媒体収納部の所定位置に正常に装着される。一方、半導体記憶媒体１の表裏面を逆にして誤挿入したときには、誤挿入防止用凸部がガイド部３と反対側の角部に当接するため、以後の挿入動作が不能となり、半導体記憶媒体１の誤挿入が防止される。
【００２３】
また、外装ケース２のガイド部３側の長辺には、下面及び側面に開口されたＵ字形をなす凹部５が設けられている。この凹部５には、情報記憶部の状態を検出する検出センサが係合される。そのため、凹部５の側面には媒体収納室と外部とを連通するスリットが設けられている。また、外装ケース２の他側の長辺には、同じく下面及び側面に開口された四角形をなす凹部６が設けられている。この凹部６には、電子機器に設けられた位置決め用凸部が係合される。この半導体記憶媒体１が電子機器の記憶媒体収納部に正常な状態で装着されると、位置決め用凸部が凹部６に係合され、これにより半導体記憶媒体１が位置決めされて所定位置にセットされる。
【００２４】
更に、外装ケース２の長手方向のガイド部３側の短辺には、この半導体記憶媒体１を電子機器に接続するための端子部７が設けられている。この端子部７は、一方の平面及び前面に開口された凹陥部８と、この凹陥部８内を幅方向に仕切る複数の仕切り片９とを有している。複数の仕切り片９で仕切られた各区分には、それぞれコネクタピン１０が配置されている。従って、複数のコネクタピン１０は横並びに配置されていて、それぞれの先端部が仕切り片９間に露出されている。更に、複数のコネクタピン１０の他端部は、外装ケース２内に収納されたプリント配線基板に接続されている。
【００２５】
このプリント配線基板上に、上述したＥＥＰＲＯＭ、コントローラ及びその他の電子部品が搭載されている。更に、プリント配線基板には、メモリに記録された情報の誤消去を防止するための誤消去防止装置が搭載されている。この誤消去防止装置に対応させて、下ケース２ｂには操作窓１１が開口されている。この操作窓１１には、誤消去防止装置のスライドスイッチの操作部１２が幅方向にスライド可能な状態で嵌め込まれている。
【００２６】
複数のコネクタピン１０は、半導体記憶媒体１を電子機器に装着する際に、前方から挿入される電子機器側の端子とそれぞれ個別に接続される。この電子機器側の端子との接続を容易にするため外装ケース２の前面部の先端角部には、それぞれ面取り部７ａが設けられている。更に、外装ケース２には、ラベル貼付用凹部２ｃが設けられている。このラベル貼付用凹部２ｃは、所定の幅をもって上ケース２ａの前面の近傍まで延在されている。
【００２７】
図１６は、本発明に適用される半導体記憶媒体の第２の実施例を示すものである。この第２の実施例として示す半導体記憶媒体１４が、上述した半導体記憶媒体１と異なるところは、端子部１６のみである。そのため、図１６において図１５と同一部分には同一の符号を付してその説明は省略し、端子部１６のみを説明する。
【００２８】
半導体記憶媒体１４の端子部１６は、外装ケース１５の長手方向の一面の中央部において側方へ突出するように形成された突条部１７を有している。この突条部１７を設けたことにより、図１７に示すように、突条部１７の両側には幅方向に連続された段部１８，１８が設けられている。この突条部１７の両面には、それぞれ複数のコネクタピン１９が互いに等間隔をあけて横並びに配置されて設けられている。その他の構成は、上述した半導体記憶媒体１と同様である。
【００２９】
このような構成を有する半導体記憶媒体１又は１４その他のカード状電子機器が保持されるカード状電子機器用保持具及びカード状電子機器用支持装置について、次に詳細に説明する。
【００３０】
以下に述べるカード状電子機器用保持具の材質としては、例えば、ポリプロピレン（ＰＰ）、合成ゴム（ウレタンエラストマー、シリコンエラストマー、アクリルエラストマー、ＳＢＲ等）等が好適である。その理由は、ＰＰやエラストマーは、ある程度の硬さを有すると共に弾力性に富み、力学的性質（例えば、引き裂き抵抗や摩擦抵抗等）に優れているからである。しかしなら、これら以外のプラスチックスやエラストマーを適用することができることは勿論である。
【００３１】
図１Ａ乃至Ｅに示す第１の実施例に係るカード状電子機器用保持具２０は、半導体記憶媒体１の端子部７が挿入される機器挿入穴２３を有する保持具本体２１と、この保持具本体２１を吊り下げるための貫通孔２４を有する支持部２２とを備えている。
【００３２】
保持具本体２１は、立方体を偏平にした中空の薄い筐体からなり、幅狭とされた四辺のうちの一辺には機器挿入穴２３の開口部２３ａが設けられている。この機器挿入穴２３は、半導体記憶媒体１の端子部７に見合う大きさ及び形状とされていて、その端子部７を所定範囲まで覆うことができる深さに設定されている。この機器挿入穴２３の内部には、半導体記憶媒体１に設けられた凹部５に係合して当該半導体記憶媒体１を保持する凸部２５が設けられている。そのため、凸部２５は、半導体記憶媒体１を機器挿入穴２３の所定位置まで挿入した状態において凹部５と対応する位置に設けられている。
【００３３】
即ち、凸部２５は、半導体記憶媒体１が出し入れされる方向に傾斜された円弧面を有する半円筒形に形成されている。更に、凸部２５には、使用する材料を適宜に選択して弾性を付与するようにする。この凸部２５の形状としては、この実施例に示す半円筒形に限定されるものではなく、例えば、全周面を曲面とした半球形や半導体記憶媒体１が出し入れされる方向の両面に直線状の傾斜面を設けた角錐台形その他の形状を適用することができる。
【００３４】
このような保持具本体２１の機器挿入穴２３の開口部２３ａと反対側の面に、この保持具本体２１を吊り下げるための貫通孔２４を有する支持部２２が一体に設けられている。この支持部２２は、Ｕ字状に湾曲形成された取手状の部分からなり、その内部に形成された開口部が貫通孔２４とされている。更に、支持部２２は、その斜め側部に設けた切欠き２６によって第１のアーム片２７と第２のアーム片２８とに分けられている。そして、両アーム片２７，２８の先端部は、内外方向に少々重なり合って接触し、自然状態では切欠き２６を閉じるように構成されている。
【００３５】
この支持部２２の２個のアーム片２７，２８のうち、一方のアーム片２７又は２８には弾性を付与して可撓性を持たせ、切欠き２６を開閉可能な構成にするとよい。この場合、第１のアーム片２７に弾性を付与して可撓性を持たせる一方、第２のアーム片２８の剛性を高めて弾性変形を生じ難い構成としたときには、第１のアーム片２７を外側に弾性変形させることによって切欠き２６を開くことができる。これとは逆に、第２のアーム片２８に弾性を付与して可撓性を持たせる一方、第１のアーム片２７の剛性を高めて弾性変形を生じ難い構成としたときには、第２のアーム片２８を内側に弾性変形させることによって切欠き２６を開くことができる。
【００３６】
このように、一方のアーム片２７又は２８を弾性変形させて切欠き２６を開くことにより、この切欠き２６に後述する支持具を通過させて、支持具に対する保持具２０の取り付け、取り外し作業を行うことができる。尚、２個のアーム片２７，２８の両方に弾性を付与する構成としてもよく、この場合には、いずれか選択されたアーム片２７，２８を弾性変形させることによって切欠き２６を開くことができる。
【００３７】
図２乃至図７は、図１に示したカード状電子機器用保持具２０の変形実施例を示すもので、これら第２〜第７の実施例が第１の実施例と異なるところは、保持具本体の外観形状と、支持部に設けた切欠きの形状の違いによる２個のアーム片間の接合形状のみである。従って、保持具本体が機器挿入穴２３を有する点、その機器挿入穴２３内に凸部２５が設けられている点については、第２〜第７の実施例において変更がないため、同一部分には同一符号を付して、これらの説明は省略する。
【００３８】
図２Ａ及びＢに示す本発明の前提となる技術の第２の実施例に係るカード状電子機器用保持具３０は、保持具本体３１をハート形に形成したものである。支持部３２は、Ｕ字状に湾曲形成された取手状の部分からなり、その内部に形成された開口部が貫通孔２４とされている。この支持部３２は、その側部に設けたＳ字状の切欠き３３によって第１のアーム片３４と第２のアーム片３５とに分けられている。そして、両アーム片３４，３５の先端部は、内外方向に少々重なり合って接触され、自然状態では切欠き３３を閉じるように構成されている。
【００３９】
この実施例では、第１のアーム片３４に弾性を付与して可撓性を持たせ、第２のアーム片３５には剛性を付与して弾性変形を生じ難い構成にするとよい。このように構成した場合には、第１のアーム片３４を内側に撓ませることによって切欠き３３を開くことができる。
【００４０】
図３Ａ及びＢに示す本発明の前提となる技術の第３の実施例に係るカード状電子機器用保持具４０は、保持具本体４１を自動車形に形成したものである。支持部４２は、Ｕ字状に湾曲形成された取手状の部分からなり、その内部に形成された開口部が貫通孔２４とされている。この支持部４２は、その側部に設けた切欠き４３によって第１のアーム片４４と第２のアーム片４５とに分けられている。そして、両アーム片４４，４５の先端部は互いに丸められて、互いの頂上部分において当接され、自然状態では切欠き４３を閉じるように構成されている。
【００４１】
この実施例では、第１のアーム片４４に弾性を付与して可撓性を持たせ、第２のアーム片４５には剛性を付与して弾性変形を生じ難い構成にするとよい。このように構成した場合には、第１のアーム片４４を外側及び内側のいずれにも撓ませることができ、従って、いずれの場合にも切欠き４３を開くことができる。
【００４２】
図４Ａ及びＢに示す本発明の前提となる技術の第４の実施例に係るカード状電子機器用保持具５０は、保持具本体５１をそら豆形に形成したものである。支持部５２は、Ｕ字状に湾曲形成された取手状の部分からなり、その内部に形成された開口部が貫通孔２４とされている。この支持部５２は、その側部に設けたクランク状の切欠き５３によって第１のアーム片５４と第２のアーム片５５とに分けられている。そして、両アーム片５４，５５の先端部は、内外方向に少々重なり合って接触され、自然状態では切欠き５３を閉じるように構成されている。
【００４３】
この実施例では、第１のアーム片５４に弾性を付与して可撓性を持たせ、第２のアーム片５５には剛性を付与して弾性変形を生じ難い構成にするとよい。このように構成した場合には、第１のアーム片５４を内側に撓ませることによって切欠き５３を開くことができる。
【００４４】
図５Ａ及びＢに示す本発明の前提となる技術の第５の実施例に係るカード状電子機器用保持具６０は、保持具本体６１をフットボール形に形成したものである。支持部６２は、Ｕ字状に湾曲形成された取手状の部分からなり、その内部に形成された開口部が貫通孔２４とされている。この支持部６２は、その側部に設けた切欠き６３によって第１のアーム片６４と第２のアーム片６５とに分けられている。そして、両アーム片６４，６５の先端部は、内外方向に少々重なり合って接触され、自然状態では切欠き６３を閉じるように構成されている。更に、両アーム片６４，６５の接触部において、第１のアーム片６４には係合凹部６４ａが設けられている一方、第２のアーム片６５には係合凹部６４ａに係合される係合凸部６５ａが設けられている。
【００４５】
この実施例では、第１のアーム片６４及び第２のアーム片６５のどちらか一方にのみ弾性を付与して可撓性を持たせてもよく、また、両者に弾性を付与して可撓性を持たせる構成としてもよい。この場合、一方のアーム片にのみ可撓性を持たせたときには、そのアーム片を撓ませて切欠き６３を開くことができ、また、双方のアーム片６４，６５に可撓性を持たせたときには、任意のアーム片を撓ませて切欠き６３を開くことができる。また、第１のアーム片６４の係合凹部６４ａに第２のアーム片６５の係合凸部６５ａが係合されることにより、これらにロック機能を働かせ、切欠き６３が開き難い構成とすることができる。
【００４６】
図６Ａ及びＢに示す本発明の前提となる技術の第６の実施例に係るカード状電子機器用保持具７０は、保持具本体７１を四葉のクローバ形に形成したものである。支持部７２は、Ｕ字状に湾曲形成された取手状の部分からなり、その内部に形成された開口部が貫通孔２４とされている。この支持部７２は、その側部に設けたＺ字状の切欠き７３によって第１のアーム片７４と第２のアーム片７５とに分けられている。そして、両アーム片７４，７５の先端部は、内外方向に少々重なり合って接触され、自然状態では切欠き７３を閉じるように構成されている。
【００４７】
この実施例では、第１のアーム片７４に弾性を付与して可撓性を持たせ、第２のアーム片７５には剛性を付与して弾性変形を生じ難い構成にするとよい。このように構成した場合には、第１のアーム片７４を内側に撓ませることによって切欠き７３を開くことができる。
【００４８】
図７Ａ及びＢに示す本発明の前提となる技術の第７の実施例に係るカード状電子機器用保持具８０は、保持具本体８１を巾着形に形成したものである。支持部８２は、Ｕ字状に湾曲形成された取手状の部分からなり、その内部に形成された開口部が貫通孔２４とされている。この支持部８２は、その側部に設けたＳ字状の切欠き８３によって第１のアーム片８４と第２のアーム片８５とに分けられている。そして、両アーム片８４，８５の先端部は、内外方向に少々重なり合って接触され、自然状態では切欠き８３を閉じるように構成されている。更に、各アーム片８４，８５の先部には、それぞれの先部を少々切除することによって逃げ部８４ａ，８５ａが設けられている。
【００４９】
この実施例では、第１のアーム片８４に弾性を付与して可撓性を持たせ、第２のアーム片８５には剛性を付与して弾性変形を生じ難い構成にするとよい。このように構成した場合には、第１のアーム片８４を内側に撓ませることによって切欠き８３を開くことができる。特に、各アーム片８４，８５の先部には逃げ部８４ａ，８５ａが設けられているため、この逃げ部８４ａ，８５ａを用いて第１のアーム片８４を押圧することにより、第１のアーム片８４を極めて容易に湾曲させることができる。
【００５０】
図８Ａ，Ｂ及び図８Ａ，Ｂに示す本発明の前提となる技術の第８の実施例に係るカード状電子機器用保持具９０は、保持具本体９１に、支持部の他の実施例を示す吊り環９２を回動自在に取り付けたものである。即ち、カード状電子機器用保持具９０は、半導体記憶媒体１の端子部７が挿入される機器挿入穴２３を有する保持具本体９１と、この保持具本体９１を吊り下げるための貫通孔２４を有する支持部である吊り環９２とを備えている。
【００５１】
保持具本体９１は、立方体を偏平にした中空の筐体からなり、幅狭とされた四辺のうちの一辺には機器挿入穴２３の開口部２３ａが設けられている。この機器挿入穴２３は、半導体記憶媒体１の端子部７に見合う大きさ及び形状とされていて、その端子部７を所定範囲まで覆うことができる深さに設定されている。この機器挿入穴２３の内部には、半導体記憶媒体１に設けられた凹部５に係合して当該半導体記憶媒体１を保持する凸部２５が設けられている。
【００５２】
更に、保持具本体９１の機器挿入穴２３を挟んで対向する幅広の二面のうち、一方の面には吊り環９２を収納することができる凹陥部からなる吊り環収納部９３が設けられている。吊り環収納部９３は、吊り環９２の形状に対応する形状をなしており、略中央部に設けられた円形凹部９３ａと、この円形凹部９３ａと保持具本体９１の機器挿入穴２３と反対側の一辺とを連通する連通凹部９３ｂとを有している。連通凹部９３ｂの両面は互いに平行とされていて、各面には、互いに対をなす軸受孔がそれぞれ設けられている。
【００５３】
吊り環９２は、リング部９２ａと、このリング部９２ａの一部に連続して外側に張り出すように設けられたベース部９２ｂとを有している。ベース部９２ｂには、同一軸心線上において互いに離反するよう反対側に突出する一対の軸部９２ｃ，９２ｃが設けられている。この一対の軸部９２ｃ，９２ｃの先端部が連通凹部９３ｂの一対の軸受孔に回動可能に嵌合されている。吊り環９２は、図８Ａ，Ｂに示すように吊り環収納部９３に収納された状態と、図９Ａ，Ｂに示すように１８０度回動させて開口部２３ａと反対側に突出させた状態とを取ることができる。
【００５４】
図１０Ａに示す本発明の前提となる技術の第９の実施例に係るカード状電子機器用保持具９５は、図８等に示した第８の実施例に係るカード状電子機器用保持具９０の吊り環９２に切欠き９６を設けたものである。吊り環９２は、同じくリング部９２ａとベース部９２ｂとを有し、リング部９２ａの一方の側部に直線状の切欠き９６が形成されている。この切欠き９６によってリング部９２ａには、第１のアーム片９７ａと第２のアーム片９７ｂとが設けられている。第１及び第２のアーム片９６ａ，９７ｂの先端部は、所定の隙間をあけて対向するように形成されている。
【００５５】
カード状電子機器用保持具９５において、他の構成は保持具９０と同様であるため、同一部分には同一符号を付してその説明を省略する。このようにリング部９２ａに切欠き９６を設け、第１のアーム片９７ａに弾性を持たせて可撓性を付与することにより、第１のアーム片９７ａを内側又は外側に撓ませて切欠き９６を開くことができる。
【００５６】
図１０Ｂは、図１０Ａに示した吊り環９２の切欠き９６を変形させた実施例を示すものである。吊り環９２にはＳ字状に湾曲された切欠き９８を設けその両側に第１及び第２のアーム片９９ａ，９９ｂが形成されている。このように構成した場合には、第１のアーム片９９ａを内側に撓ませることによって切欠き９８を開くことができる。
【００５７】
図１１及び図１２Ａ，Ｂに示す本発明の前提となる技術の第１０の実施例に係るカード状電子機器用保持具１００は、図９Ａ，Ｂ等に示したカード状電子機器用保持具９０の変形実施例を示すもので、吊り環９３を支持台として用いることができるようにしたものである。このカード状電子機器用保持具１００は、保持具本体１０１と吊り環１０２とから構成されていて、吊り環１０２はリング部１０２ａとベース部１０２ｂとを有している。
【００５８】
吊り環１０２のベース部１０２ｂには、図１２Ｂに示すように、吊り環１０２の回動量を所定角度に制限する回り止め部１０４が設けられている。この回り止め部１０４は、回動中心となる一対の軸部１０５，１０５間において面と面との交わりの角を凸状に突出させることによって形成されている。リング部１０２ａには切欠き１０６が設けられており、これにより第１及び第２のアーム片１０７ａ，１０７ｂが形成されている。他の構成は、上述した第８の実施例と同様である。
【００５９】
この第１０の実施例に係るカード状電子機器用保持具１００によれば、図１１に示すように保持具本体１０１に対する吊り環１０２の収納状態から、図１２Ａに示すように吊り環１０２を９０度回動させて吊り環収納部１０３から引き出すことにより、これを脚体として用いて平面上に保持具本体１０１を立てた状態で安定性良く載置することができる。そのため、カード状電子機器用保持具１００では、これをブックスタンドのように用いて半導体記憶媒体１を立てた状態で保持することができる。
【００６０】
図１３Ａ，Ｂに示す本発明の前提となる技術の第１１の実施例に係るカード状電子機器用保持具１１０は、機器挿入穴２３内において、凸部２５の他にもう１個の凸部１１３を設けたものである。新たに加えられた凸部１１３は、凸部２５と同一の大きさ及び形状を有しており、凸部２５と対角線をなす位置（点対称）に設けられている。このカード状電子機器用保持具１１０は、機器挿入穴２３が設けられた保持具本体１１１と、この保持具本体１１１と一体に設けられた支持部である取手１１２とから構成されている。そして、取手１１２にはＳ字状の切欠き１１４が設けられていて、これにより第１及び第２のアーム片１１５，１１６が形成されている。
【００６１】
この第１１の実施例に係るカード状電子機器用保持具１１０によれば、半導体記憶媒体１の挿入方向を同一にすれば、その一面を表にして挿入する場合ばかりでなく、他面を表にして挿入することもできるようになる。従って、半導体記憶媒体１の表裏面を気に掛けることなく、機器挿入穴２３に半導体記憶媒体１を挿入して保持、保管することができる。
【００６２】
図１４Ａ，Ｂに示す本発明の前提となる技術の第１２の実施例に係るカード状電子機器用保持具１２０は、凸部１２３を弾性体１２４の先端部に設け、剛性の高い凸部１２３を弾性体１２４の撓み変形によって弾性変形可能な構成としたものである。カード状電子機器用保持具１２０は、機器挿入穴２３が設けられた保持具本体１２１と、この保持具本体１２１と一体に設けられた支持部である取手１２２とから構成されている。
【００６３】
保持具本体１２１の機器挿入穴２３が延びる方向と交差する方向の一面には、その面方向に延在された弾性体１２４が設けられている。この弾性体１２４の先端部に、内側に半円状に突出した凸部１２３が設けられている。この弾性体１２４の外側には、金型によって弾性体１２４等を製造するための空間部１２５が設けられている。
【００６４】
この第１２の実施例に係るカード状電子機器用保持具１２０によれば、凸部１２３の剛性を高く設定することができ、弾性体１２４が弾性変形するために剛性の大きな凸部１２３であっても、弾性体１２４を弾性変形させて半導体記憶媒体１の凹部５に凸部１２３を確実に係合させることができ、また、凸部１２３と凹部５との係合を簡単に解除することができる。
【００６５】
上述したような構成を有するカード状電子機器用保持具２０，３０，４０，５０，６０，７０，８０，９０，９５，１００，１１０及び１２０は、例えば、次のようにして使用することができる。各カード状電子機器用保持具２０〜１２０において、その使用態様は同様であるため、図１の保持具２０を代表として説明する。
【００６６】
カード状電子機器用保持具２０に半導体記憶媒体１を保持する場合には、機器挿入穴２３に半導体記憶媒体１の端子部７側を挿入する。このとき、半導体記憶媒体１の先端部が凸部２５に当接するが、そのまま半導体記憶媒体１の挿入動作を続けることにより、凸部２５及び保持具本体２１の壁面が弾性変形する。これにより、凸部２５が外装ケース２の平面部を滑りながら通過し、凹部５内に入り込む。この凸部２５と凹部５との係合により、半導体記憶媒体１が保持具２０に保持される。
【００６７】
一方、半導体記憶媒体１を使用するために保持具２０から取り出すときには、引き抜き方向である開口部２３ａ側に向けて半導体記憶媒体１を引っ張ればよい。これにより、保持具本体２１の壁面及び凸部２５が外側にわずかに撓み変形し、外装ケース２に設けた凹部５から凸部２５が外れる。その結果、凹部５と凸部２５との係合（ロック）が解除されるため、半導体記憶媒体１を簡単且つ迅速に引き抜くことができる。
【００６８】
上述したような構成を有するカード状電子機器用保持具２０〜１２０は、図１８Ａ，Ｂに示すようなカード状電子機器用支持装置１３０を用いることにより、多数の半導体記憶媒体１を一まとめにして見易く、適切に、しかも確実に保管することができる。
【００６９】
カード状電子機器用支持装置１３０は、多数のカード状電子機器用保持具２０〜１２０を吊り下げて支持することができるハンガー状の支持部１３１と、この支持部１３１を所定の姿勢に保持するウエイト部１３２とを備えて構成されている。
【００７０】
支持部１３１は、Ｌ字状に形成された棒状の部材からなり、水平方向に延在された掛け止め部１３１ａと、この掛け止め部１３１ａの一端に連続されて下方に延在された立ち上げ部１３１ｂとを有している。掛け止め部１３１ａの先端には、上方へ少々折り曲げると共に若干膨らませて抜け難くした抜け止め部１３１ｃが設けられている。この抜け止め部１３１ｃにより、カード状電子機器用保持具２０〜１２０が掛け止め部１３１ａを軸方向へ移動して先端から脱落するのを防止している。そして、立ち上げ部１３１ｂの下端部にウエイト部１３２が一体に固定されている。
【００７１】
ウエイト部１３２は、支持部１３１を所定の姿勢に保持するためのもので、質量の大きな重りによって形成されている。この実施例では、ウエイト部１３２は円錐形とされているが、この形状に限定されるものではなく、例えば、円筒形、角柱形、角錐形その他の形状を適用できることは勿論である。
【００７２】
また、この実施例では、ウエイト部１３２の自重によって支持部１３１の姿勢を所定の状態に保持するようにしたが、この他にも、例えば、ウエイト部１３２の下面に両面テープや貼着プラスチック等を貼着し、これらの接着力によって支持部１３１を支える構造としてもよい。更に、ウエイト部１３２の下面に吸盤を取り付け、この吸盤の吸着力によって支持部１３１を支える構造とすることもできる。
【００７３】
このようなカード状電子機器用支持装置１３０の材質としては、例えば、ポリアセタール（ＰＯＭ）、ＡＢＳ樹脂（アクリロニトリル・ブタジエン・スチレン樹脂）その他のエンジニアリングプラスチックを用いることができ、また、ステンレス鋼、スチール鋼その他の金属を用いることもできる。この場合、支持部１３１とウエイト部１３２を同一の材料で形成してもよく、また、支持部１３１よりも重い材料でウエイト部１３２を形成してもよいことは勿論である。更に、支持部１３１及びウエイト部１３２の一方には金属を使用し、他方にはプラスチックを使用する構成とすることもできる。
【００７４】
このカード状電子機器用保持装置１３０の使用状態が図１８Ａ，Ｂに示されており、水平又は略水平な支持面１４５上に載置される。このカード状電子機器用支持装置１３０の支持部１３１に所望の数だけカード状電子機器用保持具２０〜１２０を吊り下げることにより、その使用が行われる。
【００７５】
図１８Ａにおいて、符号１Ａは、スモールサイズの半導体記憶媒体を示すものである。この小型半導体記憶媒体１Ａは、上述した標準サイズの半導体記憶媒体１を小型化させたもので、長手方向の寸法を大きく減少させる一方、幅方向及び厚み方向の寸法を若干小さくしているが、機能や性能面では異なるところの無いものである。
【００７６】
この小型半導体記憶媒体１Ａは、アダプタを設けてカード状電子機器用保持具２０〜１２０の機器挿入穴２３に保持できる構成としてもよく、また、小型半導体記憶媒体１Ａに見合った大きさの機器挿入穴を設けて独自のカード状電子機器用保持具１４７を設けるようにしてもよい。
【００７７】
半導体記憶媒体１又は小型半導体記憶媒体１Ａが保持されたカード状電子機器用保持具２０〜１２０は、支持部２２の貫通孔２４に掛け止め部１３１ａを挿入して吊り下げるようにしてもよく、また、切欠き２６を開いて貫通孔２４内に掛け止め部１３１ａを挿入するようにしてもよい。
【００７８】
このような掛け止め状態から任意の保持具を取り出す場合、掛け止め部１３１ａの先端から引き抜くときには、取り出す保持具よりも先端側にあるすべての保持具を引き抜くことが必要になる。その一方、各保持具において切欠きを開放することにより、その保持具だけを取り出すことができる。同様に、切欠きを用いることによって保持具を任意の位置に自由に吊り下げることができる。
【００７９】
この場合、切欠きの形状に対応して一方のアーム片が内側に撓み変形可能とされた実施例（図１、図２、図３、図４及び図７等）のときには、支持部１３１の掛け止め部１３１ａでそのアーム片を押圧するだけで切欠きを開放できるため、保持具を片手で持って取り付け作業を行うことができる。
【００８０】
これに対して、切欠きの形状に対応して一方のアーム片が外側に撓み変形可能とされた実施例（図３及び図６等）のときには、掛け止め部１３１ａでそのアーム片を引っ張るだけで切欠きを開放できるため、保持具を片手で持って取り外し作業及び取り出し作業のいずれの場合においても、保持具４１を片手で持ってワンタッチ操作で作業を行うことができる。
【００８１】
図１７は、図１６に示した半導体記憶媒体１４の端子部１６の形状に見合った機器挿入穴１５２が保持具本体１５１に設けられたカード状電子機器用保持具１５０の使用状態を示すものである。機器挿入穴１５２は端子部１６が挿入される端子収納部１５２ａと、この端子収納部１５２ａに連通された本体収納部１５２ｂとを有している。
【００８２】
機器挿入穴１５２の端子収納部１５２ａは、本体収納部１５２ｂよりも小さい穴とされており、本体収納部１５２ｂの他端が外部に開口されて開口部１５２ｃが設定されている。端子収納部１５２ａと本体収納部１５２ｂとの間には段部１５３が設定されており、本体収納部１５２ｂ内に凸部１５４が設けられている。そして、保持具本体１５１の開口部１５２ｃと反対側の面に支持部としての吊り環１５５が設けられている。他の構成は上述した保持具２０等と同様であるため、その説明は省略する。
【００８３】
この実施例に係るカード状電子機器用保持具１５０によれば、半導体記憶媒体１４を機器挿入穴１５２に挿入することにより、その凹部５内に凸部１５４が入り込み、これにより半導体記憶媒体１４が保持される。この際、端子収納部１５２ａと本体収納部１５２ｂとの間には段部１５３が設定されているため、この段部１５３に半導体記憶媒体１４の段部１８が当接したところでそれ以上の挿入動作が停止される。その結果、予め突条部１７の高さＬを端子収納部１５２ａの深さＬ0 よりも小さく設定しておくことにより、半導体記憶媒体１４を強く挿入したときでも、端子部１６の先端が端子収納部１５２ａの底面に衝突することがなく、かかる挿入動作による端子部１６の破損を防止することができる。
【００８４】
また、半導体記憶媒体１４を使用するためにカード状電子機器用保持具１５０から取り出すときには、引き抜き方向である開口部１５２ｃ側に向けて半導体記憶媒体１４を引っ張ればよい。これにより、保持具本体１５１の壁面が外側にわずかに撓み、外装ケース１５に設けた凹部５から凸部１５４が外れる。その結果、凹部５と凸部１５４との係合（ロック）が解除されるため、半導体記憶媒体１４を容易に引き抜くことができる。
【００８５】
次に、図１９〜図４１を参照して、同種類のカード状電子機器用保持具と連結するための連結手段を備えたカード状電子機器用保持具及びカード状電子機器用支持装置について説明する。
【００８６】
図１９〜図２２には、本発明の前提となる技術に係るカード状電子機器用保持具の第１３の実施例を示している。このカード状電子機器用保持具１６０は、図１９Ａ，Ｂに示すように、半導体記憶媒体１の端子部７が挿入される機器挿入穴１６２を有する保持具本体１６１を備えている。保持具本体１６１は、立方体（又は直方体）を偏平にした中空の薄い筐体からなり、幅狭とされた四辺のうちの一辺には機器挿入穴１６２の開口部１６２ａが開口されている。
【００８７】
この機器挿入穴１６２は、半導体記憶媒体１の端子部７に見合う大きさ及び形状とされていて、その端子部７を所定範囲まで覆うことができる深さに設定されている。この機器挿入穴１６２の内部には、半導体記憶媒体１に設けられた凹部５に係合して当該半導体記憶媒体１を保持する半円形の凸部１６３が設けられている。この凸部１６３は、半導体記憶媒体１を機器挿入穴１６２の所定位置まで挿入した状態において、凹部５と対応する位置に設けられている。
【００８８】
このような保持具本体１６１の機器挿入穴１６２を挟んで対向された幅広の平面部１６１ａ，１６１ｂには、このカード状電子機器用保持具１６０を同種類の他のカード状電子機器用保持具１６０と着脱可能に連結するための連結手段１６４が設けられている。この連結手段１６４は、保持具本体１６１の第１の平面部１６１ａに設けられた連結凸部１６４ａと、第２の平面部１６１ｂに設けられた連結凹部１６４ｂとの組み合せによって構成されている。
【００８９】
連結手段１６４の一方の連結凸部１６４ａは、大きさの等しい４個の円筒状の突起からなり、第１の平面部１６１ａの四隅に等間隔に配置されている。他方の連結凹部１６４ｂは、大きさの等しい４つの四角形の凹みからなり、第２の平面部１６１ｂであって４個の連結凸部１６４ａと対応するよう四隅に等間隔に配置されている。
【００９０】
連結凹部１６４ｂの一辺の長さは連結凸部１６４ａの直径よりも若干小さく形成されており、連結凸部１６４ａを少々弾性変形させて嵌め込むことにより連結凸部１６４ａが連結凹部１６４ｂに嵌合できるように構成されている。このように、連結凸部１６４ａを若干圧縮させた状態で連結凹部１６４ｂと連結することにより、２個の保持具１６０，１６０間を確実且つ強固に連結させることができる。
【００９１】
図２０Ａは、図１９Ａ，Ｂに示すカード状電子機器用保持具１６０を横方向に断面して示すものである。凸部１６３は、機器挿入穴１６２内の四隅のうちの１箇所において基部を側面部に固定し、半円形の先端側が第２の平面部１６１ｂと平行をなすように形成されている。この凸部１６３の構成は、この実施例に限定されるものではなく、例えば、基部を第２の平面部１６１ｂに固定し、曲面の先端側が側面部と平行をなすように形成することもできる。
【００９２】
また、図２０Ａに示す凸部１６３に変えて、これと対角線をなす方向の角部に凸部を設けるようにしてもよい。更に、図２０Ｂに示すように、対角線方向の２箇所に凸部１６３．１６３ａを設ける構成とすることもできる。この場合には、半導体記憶媒体１の表面及び裏面のどちらからでも機器挿入穴１６２に差し込むことができるが、これに対応して外装ケース２にも２箇所に凹部５を設ける必要がある。
【００９３】
図２１Ａ乃至Ｃは、図１９Ａ，Ｂに示すカード状電子機器用保持具１６０の複数個を、連結手段１６４を用いて連結した状態の実施例を示すものである。即ち、図２１Ａは、複数個のカード状電子機器用保持具１６０を幅方向で揃えて前後にピッタリと重なり合うように配置し、前後方向に隣り合うカード状電子機器用保持具１６０をそれぞれ連結手段１６４によって連結した保持具連結体を示している。このような配列で複数個のカード状電子機器用保持具１６０を連結することにより、保持具連結体全体として安定性を持たせることができ、１個だけでは幅が狭いために立てた状態での安定性に欠けるカード状電子機器用保持具１６０を安定性良く立てて並べることができる。
【００９４】
図２１Ｂは、複数個のカード状電子機器用保持具１６０を幅方向に１個置きに交互に偏倚させて千鳥状に配置し、前後方向に隣り合うカード状電子機器用保持具１６０をそれぞれ連結手段１６４によって連結した保持具連結体である。このような配列で複数個のカード状電子機器用保持具１６０を連結することにより、底面の接触面積を広くして更に安定性を高めることができる。
【００９５】
また、図２１Ｃは、複数個のカード状電子機器用保持具１６０を幅方向の一方に偏倚させて配置し、前後方向に隣り合うカード状電子機器用保持具１６０をそれぞれ連結手段１６４によって連結した保持具連結体である。このような配列で複数個のカード状電子機器用保持具１６０を連結することにより、保持具連結体全体として安定性を持たせることができると共に、各カード状電子機器用保持具１６０に保持される半導体記憶媒体１のラベル面を同時に見ることができ、従って、必要な半導体記憶媒体１を迅速に探すことができる。
【００９６】
図２２Ａ，Ｂは、図２１Ａに示す保持具連結体の各カード状電子機器用保持具１６０にそれぞれ半導体記憶媒体１を保持した状態を示すものである。上述したような構成を有するカード状電子機器用保持具１６０は、例えば、次のようにして使用することができる。
【００９７】
カード状電子機器用保持具１６０に半導体記憶媒体１を保持する場合には、機器挿入穴１６２に半導体記憶媒体１の端子部７側を挿入する。これにより、外装ケース２がカード状電子機器用保持具１６０の凸部１６３上を滑りながら移動し、外装ケース２の凹部５内に凸部１６３が入り込む。その結果、凸部１６３と凹部５との係合により、半導体記憶媒体１がカード状電子機器用保持具１６０に保持される。
【００９８】
一方、半導体記憶媒体１を使用するためにカード状電子機器用保持具１６０から取り出すときには、引き抜き方向である開口部１６２ａ側に向けて半導体記憶媒体１を引っ張る。これにより、保持具本体１６１の平面部１６１ａ，１６１ｂ及び凸部１６３が外側にわずかに撓み変形し、外装ケース２に設けた凹部５から凸部１６３が外れる。その結果、凹部５と凸部１６３との係合（ロック）が解除されるため、半導体記憶媒体１を簡単且つ迅速に引き抜くことができる。
【００９９】
図２３及び図２４には、本発明の前提となる技術に係るカード状電子機器用保持具の第１４の実施例を示している。このカード状電子機器用保持具１７０は、図１６に示す第２の実施例の半導体記憶媒体１４を装着できる機器挿入穴１７２を設けると共に、連結手段の第２の実施例としてアリツギ１７４を適用したものである。
【０１００】
保持具本体１７１の機器挿入穴１７２は、半導体記憶媒体１４の端子部１６の形状に対応されてこれに見合った形状を有している。即ち、図２３に示すように、機器挿入穴１７２は、端子部１６が挿入される端子収納部１７２ａと、この端子収納部１７２ａに連通された本体収納部１７２ｂとを有している。端子収納部１７２ａは本体収納部１７２ｂよりも小さい穴とされており、本体収納部１７２ｂの他端が外部に開口されて開口部１７２ｃが設けられている。更に、端子収納部１７２ａと本体収納部１７２ｂとの間には段部１７５が設定され、本体収納部１７２ｂ内には凸部１７３が設けられている。
【０１０１】
また、連結手段（アリツギ）１７４は、保持具本体１７１の第１の平面部１７１ａに設けられたアリ１７４ａと、第２の平面部１７１ｂに設けられたアリミゾ１７４ｂとの組み合せによって構成されている。連結手段１７４の一方のアリ１７４ａは、鳩尾状の突起が連続した突条部からなり、その突条部は第１の平面部１７１ａの略中央部において横方向へ連続するように設けられている。また、連結手段１７４の他方であるアリミゾ１７４ｂは、鳩尾状の凹部が連続した溝部からなり、その溝部は第２の平面部１７１ｂの略中央部において横方向へ連続され、アリ１７４ａと平行をなすように設けられている。
【０１０２】
図２４は、図２３に示したカード状電子機器用保持具１７０を厚み方向に複数個重ね合わせ、連結手段１７４で連結して保持具連結体を構成すると共に、半導体記憶媒体１４を各カード状電子機器用保持具１７０にそれぞれ保持した状態を示すものである。２個のカード状電子機器用保持具１７０を互いに連結させる作業は、例えば、次のようにして行うことができる。
【０１０３】
まず、２個のカード状電子機器用保持具１７０を横並びに対向させ、一方のカード状電子機器用保持具１７０のアリ１７４ａを他方のカード状電子機器用保持具１７０のアリミゾ１７４ｂに臨ませる。次に、一方のアリ１７４ａを他方のアリミゾ１７４ｂに嵌め合わせ、横方向に摺動させて２個のカード状電子機器用保持具１７０を前後方向に重なり合わせる。これにより、２個のカード状電子機器用保持具１７０が互いに連結される。この連続作業を必要なだけ繰り返すことにより、所望の数のカード状電子機器用保持具１７０を連結させて保持具連結体を構成することができる。
【０１０４】
このカード状電子機器用保持具１７０の機器挿入穴１７２に半導体記憶媒体１４を挿入することにより、その外装ケース１５の凹部５内に凸部１７３が入り込み、これにより半導体記憶媒体１４が保持される。この際、端子収納部１７２ａと本体収納部１７２ｂとの間には段部１７５が設定されているため、この段部１７５に半導体記憶媒体１４の段部１８が当接し、これにより、更なる挿入動作が停止される。従って、予め突条部１７の高さＬを端子収納部１７２ａの深さＬ0 よりも小さく設定しておくことにより、半導体記憶媒体１４を強く挿入したときでも、端子部１６の先端が端子収納部１７２ａの底面に衝突することがなく、かかる挿入動作による端子部１６の破損を防止することができる。
【０１０５】
また、半導体記憶媒体１４を使用するためにカード状電子機器用保持具１７０から取り出すときには、引き抜き方向へ引っ張るだけでよい。これにより、外装ケース１５に設けた凹部５から保持具本体１７０に設けた凸部１７３が外れ、凹部５と凸部１７３との係合が解除されるため、半導体記憶媒体１４を容易に引き抜いて使用することができる。
【０１０６】
図２５に示す本発明の前提となる技術の第１５の実施例に係るカード状電子機器用保持具１７７は、上述した図２３に示す第１４の実施例に係るカード状電子機器用保持具１７０の連結手段の変形例を示すもので、アリツギを２組設けて連結手段１７８を構成したものである。このカード状電子機器用保持具１７７がカード状電子機器用保持具１７０と異なるところは連結手段のみであるため、ここでは連結手段１７８について説明し、同一部分には同一符号を付してそれらの説明は省略する。
【０１０７】
保持具本体１７１の第１の平面部１７１ａには２本のアリ１７８ａが設けられ、第２の平面部１７１ｂには２本のアリミゾ１７８ｂが設けられている。２本のアリ１７８ａは、上下方向に延在されていると共に横方向に所定の間隔をあけて互いに平行に設けられている。この２本のアリ１７８ａが延びる方向の一方に、機器挿入穴１７２の開口部１７２ａが開口されている。更に、２本のアリ１７８ａに対応させて、２本のアリミゾ１７８ｂが互いに平行をなして上下方向に延在されている。
【０１０８】
この実施例では、２組のアリツギからなる連結手段１７８によって２個のカード状電子機器用保持具１７７が連結されるため、カード状電子機器用保持具１７７間の結合力を高めて強固に結合させることができる。尚、アリツギを３組以上設けて連結手段を構成してもよく、また、保持具本体１７１の両面にアリ１７８ａとアリミゾ１７８ｂをそれぞれ設ける構成とすることもできる。
【０１０９】
図２６Ａ，Ｂ、図２７及び図２８に示す本発明の前提となる技術の第１６の実施例に係るカード状電子機器用保持具１８０は、Ｔ字状突起１８４と回動穴付き嵌合溝１８５とによって連結手段１８３を構成したものである。このカード状電子機器用保持具１８０がカード状電子機器用保持具１７０と異なるところは連結手段のみであるため、ここでは連結手段１８３について説明し、同一部分には同一符号を付してそれらの説明は省略する。
【０１１０】
図２６Ａ，Ｂに示すように、保持具本体１８１の第１の平面部１８１ａの略中央部にはＴ字状突起１８４が設けられ、第２の平面部１８１ｂのＴ字状突起１８４と対応する位置には一対のガイドレール１８５ａ，１８５ａが設けられている。Ｔ字状突起１８４は、略中央部に設定された回動軸部１８４ａと、この回動軸部１８４ａの端面に連続して直径方向外側に突出されたフランジ部１８４ｂとを有している。このフランジ部１８４ｂは、機器挿入穴１８２が延びる方向と平行に延在されており、突出部両側の先端は半円形に丸められている。
【０１１１】
また、一対のガイドレール１８５ａ，１８５ａは、Ｔ字状突起１８４のフランジ部１８４ｂの幅と略等しい間隔をあけて平行に配置されている。これらガイドレール１８５ａの付け根部分の内側、即ち、保持具本体１８１の第２の平面部１８１ｂとの連結部の内面に、フランジ部１８４ｂの回動を許容するための回動穴１８５ｂがそれぞれ設けられている。
【０１１２】
この実施例に示す２個のカード状電子機器用保持具１８０を互いに連結する作業は、例えば、次のようにして行うことができる。まず、一方のカード状電子機器用保持具１８０のＴ字状突起１８４を他方のカード状電子機器用保持具１８０の一対のガイドレール１８５ａ，１８５ａ間に嵌め合わせる。これが、図２７Ａ，Ｂに示す状態である。この状態から、２個のカード状電子機器用保持具１８０の開口部１８２ａが同じ向きになるように、一方のカード状電子機器用保持具１８０を固定して他方のカード状電子機器用保持具１８０を、回動軸部１８４ａを中心として時計方向（又は反時計方向）に９０度回動させる。
【０１１３】
これにより、一方のカード状電子機器用保持具１８０のＴ字状突起１８４のフランジ部１８４ｂが他方のカード状電子機器用保持具１８０の回動穴１８５ｂに係合される。このＴ字状突起１８４と一対のガイドレール１８５ａ，１８５ａによる連結手段１８３によって２個のカード状電子機器用保持具１８０が連結される。この連結作業を必要回数だけ繰り返すことにより、図２８に示すように、所望の数のカード状電子機器用保持具１８０を連結させて保持具連結体を構成することができる。このカード状電子機器用保持具１８０の機器挿入穴１８２に半導体記憶媒体１を挿入する作業は、上述した実施例と同様であるため、その説明は省略する。
【０１１４】
図２９Ａ，Ｂ及び図３０に示す本発明の前提となる技術の第１７の実施例に係るカード状電子機器用保持具１９０は、図２６等に示した第１６の実施例に係るカード状電子機器用保持具１８０の連結手段の変形例を示すもので、Ｔ字状突起１９４と回動穴付きガイド溝１９５によって連結手段１９３を構成したものである。このカード状電子機器用保持具１９０がカード状電子機器用保持具１８０と異なるところは連結手段のみであるため、ここでは連結手段１９３について説明し、同一部分には同一符号を付してそれらの説明は省略する。
【０１１５】
図２９Ａ，Ｂに示すように、保持具本体１９１の第１の平面部１９１ａの略中央部にはＴ字状突起１９４が設けられ、第２の平面部１９１ｂのＴ字状突起１９４と対応する位置に回動穴付きガイド溝１９５が設けられている。Ｔ字状突起１９４は、略中央部に設定された直径の大きな回動軸部１９４ａと、この回動軸部１９４ａの端面に連続して直径方向外側に突出されたフランジ部１９４ｂとを有している。このフランジ部１９４ｂは、機器挿入穴１９２が延びる方向と平行に延在されており、突出部両側の先端は半円形に丸められている。
【０１１６】
また、回動穴付きガイド溝１９５は、Ｔ字状突起１４４のフランジ部１９４ｂの幅と略等しい間隔をあけたスリット部１９５ａと、このスリット部１９５ａの中央部に設けられ且つ回動軸部１９４ａが嵌合される嵌合穴１９５ｂとを有している。そして、スリット部１９５ａと嵌合穴１９５ｂとが連続する付け根部分には、フランジ部１９４ｂの回動を許容するための回動穴１９５ｃが点対称をなすようにそれぞれ設けられている。
【０１１７】
回動穴１９５ｃは、Ｔ字状突起１４４が９０度回転したところでそのフランジ部１９４ｂが底に形成されたストッパ部１９５ｄに当接するように構成されている。このストッパ部１９５ｄに当接するまでＴ字状突起１４４を回動させることにより、一方のカード状電子機器用保持具１９０に対して他方のカード状電子機器用保持具１９０が、９０度回転した位置で位置決めされる。このように構成することによっても、上述した第１６の実施例と同様の効果を得ることができる。
【０１１８】
図３１Ａ，Ｂ及び図３２に示す本発明の前提となる技術の第１８の実施例に係るカード状電子機器用保持具２００は、凸部と凸部との組み合わせによって連結手段２０３を構成したものである。このカード状電子機器用保持具２００が第１３の実施例に係るカード状電子機器用保持具１６０と異なるところは連結手段のみであるため、ここでは連結手段２０３について説明し、同一部分には同一符号を付してそれらの説明は省略する。
【０１１９】
図３１Ａ，Ｂに示すように、連結手段２０３は、保持具本体２０１の第１の平面部２０１ａに設けられた連結凸部２０４と、第２の平面部２０１ｂに設けられた連結凸部２０５との組み合わせによって構成されている。連結手段２０３の一方の連結凸部２０４は、大きさの等しい４個の円筒状の突起からなり、第１の平面部２０１ａの四隅に等間隔に配置されている。連結手段２０３の他方の連結凸部２０５は、直径の大きな１個の円筒状の突起によって形成されている。この第２の連結凸部２０５は、４個の第１の連結凸部２０４間に嵌合される大きさを有している。
【０１２０】
この実施例では、４個の第１の連結凸部２０４で１個の第２の連結凸部２０５を挟持する力によって互いに保持される。これにより、図３２に示すように、２個のカード状電子機器用保持具２００間が確実に連結される。更に、２個のカード状電子機器用保持具２００間は、嵌合させた状態において比較的容易に回動させることができる。従って、２個のカード状電子機器用保持具２００の開口部２０２ａを、３６０度の全方向に渡って任意の角度に偏倚させて保持することができる。
【０１２１】
図３３に示す本発明の前提となる技術の第１９の実施例に係るカード状電子機器用保持具２１０は、図１９に示した第１３の実施例に係るカード状電子機器用保持具１６０に、このカード状電子機器用保持具１６０を吊り下げるための支持部である取手２１１を設けたものである。
【０１２２】
カード状電子機器用保持具１６０の保持具本体１６１は、図１９等に示した保持具本体１６１と同様の構成を有しており、偏平な立方体からなる筐体の一側面に機器挿入穴１６２の開口部１６２ａが設けられている。この保持具本体１６１の一方の平面部１６１ａに、連結手段１６４の一方をなす４個の連結凸部１６４ａが形成されている。そして、保持具本体１６１の図に現れない他方の平面部に、連結手段１６４の他方をなす４つの連結凹部が形成されている。
【０１２３】
カード状電子機器用保持具１６０の支持部である取手２１１はＵ字状に湾曲形成されており、その内部に形成された開口部が貫通孔２１２とされている。この取手２１１は、保持具本体１６１の開口部１６２ａのある面と交差する一方の側面に一体に設けられている。この取手２１１を用いることにより、カード状電子機器用保持具１６０を、例えば壁面に取り付けられたフック等に掛けて吊り下げることができる。他の構成は同様であるため、その説明は省略する。
【０１２４】
図３４に示す本発明の前提となる技術の第２０の実施例に係るカード状電子機器用保持具２２０は、図３３に示した第１９の実施例に係るカード状電子機器用保持具２２０の取手２２１に、この取手２２１を開閉するための切欠き２２３を設けたものである。保持具本体１６１は、図３３に示した保持具本体１６１と同様の構成を有しており、偏平をなす立方体の一側面に機器挿入穴１６２の開口部１６２ａが開口されている。そして、保持具本体１６１の図に現れない一方の平面部に連結手段の一方をなす４個の連結凸部が形成され、他方の平面部１６１ｂに連結手段の他方をなす４つの連結凹部１６４ｂが形成されている。
【０１２５】
取手２２１はＵ字状に形成されており、その内部に形成された開口部が貫通孔２２２とされている。この取手２２１は、保持具本体１６１の開口部１６２ａのある面と交差する一方の側面に一体に設けられている。そして、取手２２１の開口部１６２ａ側の付け根部分の近傍に切欠き２２３が設けられており、この切欠き２２３によって第１のアーム片２２１ａと第２のアーム片２２１ｂとが形成されている。
【０１２６】
第１及び第２のアーム片２２１ａ，２２１ｂの先端部は内外方向に少々重なり合って接触され、自然状態では切欠き２２３を閉じるように構成されている。この実施例では、第１及び第２のアーム片２２１ａ，２２１ｂのどちらか一方にのみ弾性を付与して可撓性を持たせてもよく、また、両者に弾性を付与して可撓性を持たせる構成とすることもできる。
【０１２７】
図３５に示す本発明の前提となる技術の第２１の実施例に係るカード状電子機器用保持具２３０は、図３４に示した切欠きの変形例を示すもので、支持部である取手２３２の第１のアーム片２３２ａと第２のアーム片２３２ｂの先端部を先細に形成して内外方向に重なり合わせ、その重なり合った部分を切欠き２３４としたものである。
【０１２８】
取手２３２は保持具本体２３１の機器挿入穴１６２の開口部と反対側の面に一体に設けられ、その内側に貫通孔２３３が設定されている。そして、保持具本体２３１の一方の平面部２３１ａには連結手段の一方をなす４個の連結凸部２３５が形成され、図に現れない他方の平面部に連結手段の他方をなす４つの連結凹部が形成されている。
【０１２９】
図３６Ａ，Ｂ及び図３７Ａ，Ｂに示す本発明の前提となる技術の第２２の実施例に係るカード状電子機器用保持具２４０は、支持具本体２４１に、支持部の他の実施例を示す吊り環２４３を回動自在に取り付けたものである。即ち、カード状電子機器用保持具２４０は、半導体記憶媒体１の端子部７が挿入される機器挿入穴１６２を有する保持具本体２４１と、この保持具本体２４１を吊り下げるための貫通孔２４４を有する支持部である吊り環２４３とを備えている。
【０１３０】
保持具本体２４１は、立方体を偏平にした中空の筐体からなり、幅狭とされた四辺のうちの一辺には機器挿入穴１６２の開口部１６２ａが設けられている。この保持具本体２４１の一方の平面部には、連結手段の一方をなす４個の連結凸部２４２ａが設けられている。そして、保持具本体２４１の他方の平面部２４１ｂには、吊り環２４３を収納することができる凹陥部からなる吊り環収納部２４５と、連結手段の他方をなす４つの連結凹部２４２ｂが設けられている。
【０１３１】
吊り環収納部２４５は、吊り環２４３の形状に対応する形状をなしており、略中央部に設けられた円形凹部２４５ａと、この円形凹部２４５ａと保持具本体２４１の機器挿入穴１６２と反対側の一辺とを連通する連通凹部２４５ｂとを有している。連通凹部２４５ｂの両側面は互いに平行とされていて、各面には互いに対をなす軸受孔がそれぞれ設けられている。
【０１３２】
また、吊り環２４３は、上述した図９に示す第８の実施例に係る保持具９０に示したものと同様のものである。即ち、吊り環２４３は、リング部２４３ａと、このリング部２４３ａの一部に連続して外側に張り出すように設けられたベース部２４３ｂとを有している。ベース部２４３ｂには、同一軸心線上において互いに離反するよう反対側に突出する一対の軸部２４３ｃ，２４３ｃが設けられている。この一対の軸部２４３ｃ，２４３ｃの先端部が連通凹部２４５ｂの一対の軸受孔にそれぞれ回動可能に嵌合されている。この吊り環２４３は、図３６Ａ，Ｂに示す吊り環収納部２４５に収納した状態と、図３７Ａ，Ｂに示すように１８０度回動させて開口部１６２ａと反対側に突出させた状態とを取ることができる。
【０１３３】
図３８に示す本発明の前提となる技術の第２３の実施例に係るカード状電子機器用保持具２５０は、図３６等に示したカード状電子機器用保持具２４０の吊り環２４３に切欠きを設けたものである。吊り環２４３は、リング部２４３ａとベース部２４３ｂとを有し、リング部２４３ａの一側に直線状の切欠き２５１が設けられている。この切欠き２５１によってリング部２４３ａには、第１のアーム片２４３ａ１と第２のアーム片２４３ａ２とが設けられている。そして、第１及び第２のアーム片２４３ａ１，２４３ａ２の先端部は、所定の隙間をあけて正面に対向するように構成されている。
【０１３４】
他の構成は、上述したカード状電子機器用保持具２４０と同様であるため、同一部分には同一符号を付してその説明を省略する。このように、リング部２４３ａに切欠き２５１を設け、第１のアーム片２４３a1に弾性を持たせて可撓性を付与することにより、第１のアーム片２４３a1を内側又は外側に撓ませて切欠き２５１を開くことができる。
【０１３５】
図３９Ａ及びＢは、図３８に示した吊り環２４３の切欠き２５１を変形させた実施例を示すものである。図３９Ａに示す吊り環２４３には、Ｓ字状に湾曲された切欠き２５２が設けられている。図３９Ｂに示す吊り環２４３には、Ｚ字状に湾曲された切欠き２５３が設けられている。これにより、各吊り環２４３の切欠き２５２又は２５３の両側には、それぞれ第１及び第２のアーム片２４３a1，２４３a2が形成されている。
【０１３６】
また、図３８に示す第２３の実施例に係るカード状電子機器用保持具２５０は、図４０Ａ，Ｂに示すように、保持具本体２４１を立ち上げて、ブックスタンドのような状態として使用することができる。この点は、上述した図１２に示す第１０の実施例に係るカード状電子機器用保持具１００と同様である。
【０１３７】
このカード状電子機器用支持装置１３０の使用状態が図４１Ａ，Ｂに示されている。カード状電子機器用支持装置１３０は水平又は略水平な支持面１４５上に載置され、掛け止め部１３１ａに所望の数だけカード状電子機器用保持具２１０〜２５０を吊り下げることにより、その使用が行われる。
【０１３８】
図４２及び図４３Ａ，Ｂに示す本発明の前提となる技術の第２４の実施例に係るカード状電子機器用保持具２７０は、保持具本体２７１に設けられた機器挿入穴２７２の開口部２７２ａに、挿入された半導体記憶媒体１の外装ケース２との密着性を高めるための一対のリブ部２７３，２７４を設けたものである。
【０１３９】
保持具本体２７１は、丸味を有する偏平な筐体からなり、側面の一方に機器挿入穴２７２の開口部２７２ａが開口され、その反対側に略半円形をなす取手２７５が設けられている。この取手２７５の内部に形成された開口が貫通孔２７６とされている。また、機器挿入穴２７２は、開口部２７２ａの高さＨ（挿入された半導体記憶媒体１の厚み方向）が底部２７２ｂの高さｈ及び半導体記憶媒体１の厚みＴよりも大きく設定されている（Ｈ＞ｈ、Ｈ＞Ｔ）。
【０１４０】
更に、機器挿入穴２７２の開口部２７２ａと底部２７２ｂとは、ゆるやかな斜面によって連続され、半導体記憶媒体１の端子部７が容易に挿入及び脱離可能に構成されている。尚、機器挿入穴２７２の底部２７２ｂの高さｈは、半導体記憶媒体１の厚みＴと同一であってもよい（Ｔ＝ｈ）。
【０１４１】
また、機器挿入穴２７２の開口部２７２ａの上下両面には、開口部２７２ａが延びる方向に延在された一対のリブ部２７３，２７４が設けられている。各リブ部２７３，２７４は一方の側面から他方の側面まで連続されている。そして、両リブ部２７３，２７４間の隙間ｔは、半導体記憶媒体１の厚みＴよりも小さく設定されている（ｔ＜Ｔ）。
【０１４２】
この第２４の実施例に係るカード状電子機器用保持具２７０によれば、機器挿入穴２７２に半導体記憶媒体１を挿入すると、外装ケース２の上下両面に上下のリブ部２７３，２７４が密着され、開口部２７２ａの隙間を解消することができる。その結果、機器挿入穴２７２内に埃やチリ、或いは水等が入り込むのを防ぐことができる。従って、埃やチリ等が機器挿入穴２７２内に入り込むことによって生ずる端子部での接触不良や、水滴が機器挿入穴２７２内に入り込むことによって生ずる端子部の腐食やメモリの破損等を防止することができる。
【０１４３】
尚、両リブ部２７３，２７４間の間隔ｔは、少なくとも半導体記憶媒体１の厚みＴと等しいものであればよい。また、リブ部２７３，２７４は少なくとも一方にあればよいもので、かかる場合にも、上記実施例と同様の効果を得ることができる。
【０１４４】
図４４Ａ，Ｂ及び図４５に示す本発明の前提となる技術の第２５の実施例に係るカード状電子機器用保持具２８０は、保持具本体２８１に設けられた機器挿入穴２８２内に、出し入れされる半導体記憶媒体１の端子部７を払拭するための一対の払拭部材２８３，２８４を設けたものである。
【０１４５】
保持具本体２８１は、偏平な円盤型（長方形、楕円形その他上述した各形状のものでも良い。）の筐体からなり、側面の一方に機器挿入穴２８２の開口部２８２ａが開口され、その反対側に略半円形をなす取手２８５が設けられている。この取手２８５の内部に形成された開口が貫通孔２８６とされている。
【０１４６】
一対の払拭部材２８３，２８４は、多数の毛髪状の突起を有するブラシによって構成されている。多数の毛髪状突起は、図示するように、内側に若干傾斜させて設定することが好ましいが、垂直に設定するようにしてもよい。このブラシからなる払拭部材２８３，２８４は、例えば、除電ブラシの植毛、接着剤による接着、或いは保持具本体２８１との一体成形による射出成形その他の手段によって作ることができる。
【０１４７】
この第２５の実施例に係るカード状電子機器用保持具２８０によれば、機器挿入穴２８２に半導体記憶媒体１を挿入すると、一対の払拭部材２８３，２８４によって半導体記憶媒体１が弾性的に挟持され、その挟持力によって半導体記憶媒体１が保持される。しかも、半導体記憶媒体１挿入時及び引き抜き時には、端子部７がブラシに接触されるため、払拭部材２８３，２８４によって端子部７をクリーニングして当該端子部７に付着されている埃やチリ等を払拭することができる。
【０１４８】
また、払拭部材２８３，２８４や保持具本体２８１をフッ素樹脂でコーティングする構成とすることができる。この場合には、フッ素樹脂のコーティングにより、水分の付着を抑制又は防止することができると共に、半導体記憶媒体１の挿入時、端子部７に付着している水分を撥水させることができる。従って、機器挿入穴２８２内に水滴が入り込んで端子部７に付着するのを防止又は抑制することができ、端子部７に水分が付着することに起因して生ずるメモリの破壊を防止することができる等の防滴効果を得ることができる。
【０１４９】
尚、フッ素コーティングの材料とされるフッ素樹脂としては、例えば、パーフロロポリエーテル（ＰＦＰＥ）が好適であるが、四フッ化エチレン樹脂（ＰＴＦＥ）、四フッ化エチレン−六フッ化エチレン共重合体（ＦＥＰ）その他のフッ素樹脂を適用できるものである。
【０１５０】
図４６Ａ，Ｂ及Ｃに示す本発明の実施例に係るカード状電子機器用保持具２９０は、保持具本体２９１に、カード状電子機器を保持するためのバンド部材２９３を一体に設けたものである。
【０１５１】
保持具本体２９１は、偏平な丸味のある筐体からなり、側面の一方に機器挿入穴２９２の開口部２９２ａが開口され、機器挿入穴２９２内には半導体記憶媒体１を係合保持するための凸部１６３が所定位置に設けられている。更に、保持具本体２９１の開口部２９２ａと反対側には、略半円形をなす取手２９５が設けられている。この取手２９５の内部に形成された開口が貫通孔２９６とされている。
【０１５２】
バンド部材２９３は、可撓性を有する細長い棒状の部材からなり、その一端が保持具本体２９１の開口部２９２ａの長手方向の略中央部において連続して一体に形成されている。バンド部材２９３の先端側には、適当な間隔をあけて適宜数の係止孔２９３ａが開口されており、これらの係止孔２９３ａに係合される係止ピン２９７が保持具本体２９１に設けられている。係止ピン２９７は、抜け止め用の頭部を有するキノコ形をなしており、開口部２９２ａを挟むようにバンド部材２９３の基端が固定された縁と反対側の縁の近傍に配設されている。
【０１５３】
このようなバンド部材２９３を有する保持具２９０は、例えば、図４６Ｂ及びＣに示すようなカード状電子機器を保持するために用いて有効であり、その効果を十分に果たすことが可能である。同図に示すカード状電子機器は、一般に「拡張モジュール」と言われているもののうち、レンズとＣＣＤ（電荷結合素子）が設けられた「カメラモジュール」と呼ばれているものである。
【０１５４】
ここで、「拡張モジュール」とは、メモリスティック等のカード状記憶媒体と同様の端子形状を有し、ハード機器のカード用のスロットに装着可能な電子機器を言う。この種の拡張モジュールとしては、上記カメラモジュールの他には、例えば、次のようなものを挙げることができる。
【０１５５】
拡張モジュールの例、ブルーツース(Blue tooth)用アンテナが設けられたブルーツース用モジュール、ＧＰＳ(Global Positioning System)アンテナが設けられたＧＰＳモジュール、ＬＡＮ(Local area network)用のアンテナが設けられたＬＡＮモジュール、マイクロホンのマイク部が設けられたマイクロホンモジュール、指紋照合部が設けられた指紋照合モジュール等を適用することができる。
【０１５６】
図４６Ｂ及びＣに記載されたカード状電子機器の一具体例として示すカメラモジュール３００は、上述した半導体記憶媒体１の端子部７と同様の端子形状を有し、その端子部と反対側の端部にレンズとＣＣＤとが一体に設けられたものである。
【０１５７】
即ち、カメラモジュール３００は、外装ケース３０１と、この外装ケース３０１の長手方向の一端に設けられたカメラ部３０２とを備えている。外装ケース３０１は、上述した外装ケース２の長手方向の一端にカメラ部３０２を一体に結合させたような構成からなるもので、カメラ部３０２と反対側の端部に端子部７が設けられている。
【０１５８】
カメラ部３０２は、外装ケース３０１の一端に設けられたカメラケース３０３と、このカメラケース３０３に装着されて外部に露出された対物レンズ３０４と、カメラケース３０３内に収納されたＣＣＤと、このＣＣＤから供給される撮像信号を処理して画像に対応した信号を出力する処理装置等を備えて構成されている。
【０１５９】
このカメラモジュール３００は、半導体記憶媒体１として上述したメモリカードに比べて重量が大きく、また形状が一定でないため重量の中心部がカメラ部３０２側にある。そのため、このカメラモジュール３００を、バンド部材２９３の無いカード状電子機器用保持具に保持する場合には、自重によって抜け出し易くなっていて、自重による脱落のおそれがある。
【０１６０】
かかる場合に、カード状電子機器用保持具２９０でバンド部材２９３を使用してカメラモジュール３００を保持することにより、重量の重い拡張モジュールであっても、これを確実に保持することができ、カメラモジュール３００が自重によって落下するおそれをなくすことができる。このカード状電子機器用保持具２９０の使用状態を図４６Ｃに示している。
【０１６１】
この場合、カード状電子機器用保持具２９０の機器挿入穴２９２にカメラモジュール３００の端子側を挿入した後、その外周に沿ってバンド部材２９３を湾曲させ、バンド部材２９３の先端側に設けられた複数の係止孔２９３ａの適当なものを係止ピン２９７に係止させる。これにより、カメラモジュール３００の自重による落下を防止し、そのカメラモジュール３００をしっかりと確実に保持することができる。
【０１６２】
また、上述した全てのカード状電子機器用保持具２０〜２９０の材料中に帯電防止剤を含有させることにより、保持具本体２１〜２９１が静電気を帯電するのを防ぐことができ、静電気によるメモリその他の電子部品の静電破壊を防止することができる。このような帯電防止剤としては、例えば、スチレン共重合体を挙げることできる。
【０１６３】
以上、説明したが、本発明は上述した実施の例に限定されるものではなく、例えば、実施例においては、メモリスティック及びその変形例を半導体記憶媒体として用いた例について説明したが、その他の半導体記憶媒体、例えば、スモールＰＣカード、スマートメディア等にも適用できることは勿論である。また、カード状電子機器用保持具及びカード状電子機器用支持装置の形状、構造、構成等も同様であり、任意の形状、構成等を適用できるものであり、更に、色彩についても任意の色を自由に選択できるものである。
【０１６４】
【産業上の利用の可能性】
以上説明したように、本出願のカード状電子機器用保持具によれば、カード状電子機器を簡単且つ確実に保持することができると共に、個々に置いておくときにも紛失し難くすることができる。そのため、カード状電子機器の端子部等の保護を図ることができ、機器挿入穴内に埃やチリ或いは水滴等の侵入を防止又は抑制して、端子部に埃やチリ等が付着したり、水滴が付着して劣化を生ずる等の不具合の発生を効果的に防止できるカード状電子機器用保持具を提供することができる。
【図面の簡単な説明】
【図１】  本発明の前提となる技術のカード状電子機器用保持具の第１の実施例を示すもので、同図Ａは正面図、同図Ｂは側面図、同図Ｃは底面図、同図Ｄは同図ＢのＹ−Ｙ線断面図、同図Ｅは同図ＡのＸ−Ｘ線断面図である。
【図２】  本発明の前提となる技術のカード状電子機器用保持具の第２の実施例を示すもので、同図Ａは正面図、同図Ｂは側面図である。
【図３】  本発明の前提となる技術のカード状電子機器用保持具の第３の実施例を示すもので、同図Ａは正面図、同図Ｂは側面図である。
【図４】  本発明の前提となる技術のカード状電子機器用保持具の第４の実施例を示すもので、同図Ａは正面図、同図Ｂは側面図である。
【図５】  本発明の前提となる技術のカード状電子機器用保持具の第５の実施例を示すもので、同図Ａは正面図、同図Ｂは側面図である。
【図６】  本発明の前提となる技術のカード状電子機器用保持具の第６の実施例を示すもので、同図Ａは正面図、同図Ｂは側面図である。
【図７】  本発明の前提となる技術のカード状電子機器用保持具の第７の実施例を示すもので、同図Ａは正面図、同図Ｂは側面図である。
【図８】  本発明の前提となる技術のカード状電子機器用保持具の第８の実施例を示すもので、同図Ａは吊り環を閉じた状態の斜視図、同図Ｂは中央部の縦断面図である。
【図９】  本発明の前提となる技術のカード状電子機器用保持具の第８の実施例を示すもので、同図Ａは吊り環を開いた状態の正面図、同図Ｂは同じく側面図である。
【図１０】  本発明の前提となる技術のカード状電子機器用保持具の第９の実施例を示すもので、同図Ａは吊り環を開いた状態の正面図、同図Ｂは吊り環の変形実施例の正面図である。
【図１１】  本発明の前提となる技術のカード状電子機器用保持具の第１０の実施例を示す吊り環を閉じた状態の正面図である。
【図１２】  本発明の前提となる技術のカード状電子機器用保持具の第１０の実施例を示すもので、同図Ａは吊り環を起こして脚体とした状態の側面図、同図Ｂは同図Ａの要部を拡大して断面した説明図である。
【図１３】  本発明の前提となる技術のカード状電子機器用保持具の第１１の実施例を示すもので、同図Ａは保持具本体を断面した正面図、同図Ｂは底面図である。
【図１４】  本発明の前提となる技術のカード状電子機器用保持具の第１２の実施例を示すもので、同図Ａは保持具本体を断面した正面図、同図Ｂは側面図である。
【図１５】  本発明の前提となる技術のカード状電子機器用保持具に用いられるカード状電子機器の第１の実施例を示す斜視図である。
【図１６】  本発明の前提となる技術のカード状電子機器用保持具に用いられるカード状電子機器の第２の実施例を示す斜視図である。
【図１７】  本発明に係るカード状電子機器の第２の実施例を本発明の前提となる技術のカード状電子機器用保持具に装着した使用状態を示すもので、保持具の中央部縦断面図である。
【図１８】  本発明の前提となる技術のカード状電子機器用支持装置の第１の実施例を示すもので、同図Ａは正面図、同図Ｂは側面図である。
【図１９】  本発明の前提となる技術のカード状電子機器用保持具の第１３の実施例を示すもので、同図Ａは一方の面を左側から見た斜視図、同図Ｂは他方の面を右側から見て一部を断面した斜視図である。
【図２０】  本発明の前提となる技術のカード状電子機器用保持具の第１３の実施例を示すもので、同図Ａは凸部が１個の場合の断面図、同図Ｂは凸部が２個の場合の断面図である。
【図２１】  本発明の前提となる技術のカード状電子機器用保持具の第１３の実施例を示すもので、同図Ａは複数個を重ね合わせて一列に配列した状態、同図Ｂは千鳥状に配列した状態、同図Ｃは斜め方向に配列した状態のそれぞれ断面図である。
【図２２】  本発明の前提となる技術のカード状電子機器用保持具の第１３の実施例を示すもので、同図Ａは複数個重ね合わせて連結した状態を示す一部を断面した側面図、同図Ｂはカード状電子機器を装着した状態の正面図である。
【図２３】  本発明の前提となる技術のカード状電子機器用保持具の第１４の実施例を示す斜視図である。
【図２４】  本発明の前提となる技術のカード状電子機器用保持具の第１４の実施例を複数個重ね合わせて連結した状態を示す一部を断面した側面図である。
【図２５】  本発明の前提となる技術のカード状電子機器用保持具の第１５の実施例を示す斜視図である。
【図２６】  本発明の前提となる技術のカード状電子機器用保持具の第１６の実施例を示すもので、同図Ａは一方の面を左側から見た斜視図、同図Ｂは他方の面を右側から見た斜視図である。
【図２７】  本発明の前提となる技術のカード状電子機器用保持具の第１６の実施例を示すもので、同図Ａは２個を連結した状態の斜視図、同図Ｂは連結手段の断面図である。
【図２８】  本発明の前提となる技術のカード状電子機器用保持具の第１６の実施例を複数個重ね合わせて連結した状態を示す一部を断面した側面図である。
【図２９】  本発明の前提となる技術のカード状電子機器用保持具の第１７の実施例を示すもので、同図Ａは一方の面を左側から見た斜視図、同図Ｂは他方の面を右側から見た斜視図である。
【図３０】  本発明の前提となる技術のカード状電子機器用保持具の第１７の実施例を示すもので、２個を連結した連結手段の断面図である。
【図３１】  本発明の前提となる技術のカード状電子機器用保持具の第１８の実施例を示すもので、同図Ａは右側から一方の面を見た斜視図、同図Ｂは左側から他方の面を見た斜視図である。
【図３２】  本発明の前提となる技術のカード状電子機器用保持具の第１８の実施例の２個を連結した連結手段の断面図である。
【図３３】  本発明の前提となる技術のカード状電子機器用保持具の第１９の実施例を示す斜視図である。
【図３４】  本発明の前提となる技術のカード状電子機器用保持具の第２０の実施例を示す斜視図である。
【図３５】  本発明の前提となる技術のカード状電子機器用保持具の第２１の実施例を示す斜視図である。
【図３６】  本発明の前提となる技術のカード状電子機器用保持具の第２２の実施例を示すもので、同図Ａは吊り環を閉じた状態の斜視図、同図Ｂは中央部縦断面図である。
【図３７】  本発明の前提となる技術のカード状電子機器用保持具の第２２の実施例を示すもので、同図Ａは吊り環を開いた状態の正面図、同図Ｂは同じく側面図である。
【図３８】  本発明の前提となる技術のカード状電子機器用保持具の第２３の実施例を示す吊り環を開いた状態の正面図である。
【図３９】  本発明の前提となる技術のカード状電子機器用保持具の第２３の実施例に係る吊り環の他の例を示すもので、同図ＡはＳ字形の切欠き、同図ＢはＺ字形の切欠きをそれぞれ設けた正面図である。
【図４０】  本発明の前提となる技術のカード状電子機器用保持具の第２３の実施例を示すもので、同図Ａは吊り環を起こして脚体とした状態の側面図、同図Ｂは同図Ａの要部を拡大して断面した説明図である。
【図４１】  本発明の前提となる技術のカード状電子機器用支持装置の第２の実施例を示すもので、同図Ａは正面図、同図Ｂは側面図である。
【図４２】  本発明の前提となる技術のカード状電子機器用保持具の第２４の実施例を示すもので、カード状電子機器を装着する前の状態の斜視図である。
【図４３】  本発明の前提となる技術のカード状電子機器用保持具の第２４の実施例を示すもので、同図Ａは中央部縦断面図、同図Ｂはカード状電子機器を装着した状態の中央部縦断面図である。
【図４４】  本発明の前提となる技術のカード状電子機器用保持具の第２５の実施例を示すもので、同図Ａは正面図、同図Ｂは底面図である。
【図４５】  本発明の前提となる技術のカード状電子機器用保持具の第２５の実施例を示すもので、カード状電子機器を装着する前の状態の中央部縦断面図である。
【図４６】  本発明のカード状電子機器用保持具の実施例を示すもので、同図Ａは斜視図、同図Ｂはカード状電子機器を装着した状態の斜視図、同図Ｃはバンド部材でカード状電子機器を保持した状態の斜視図である。
【符号の説明】
１，１４  半導体記録媒体（カード状電子機器）、  ２，１５  外装ケース、  ７，１６  端子部、  ２０，３０，４０，５０，６０，７０，８０，９０，９５，１００，１１０，１２０，１５０，１６０，１７０，１７７，１８０，１９０，２００，２１０，２２０，２３０，２４０，２５０，２７０，２８０，２９０  カード状電子機器用保持具、  ２１，３１，４１，５１，６１，７１，８１，９１，１１１，１２１，１５１，１６１，１７１，１８１，１９１，２０１，２１１，２３１，２４１，２７１，２８１，２９１  保持具本体、  ２２，３２，４２，５２，６２，７２，８２，１１２，１２２，２３２，２４３，２７５，２８５，２９５  支持部、  ２３，１５２，１６２，１７２，１８２，１９２，２０２，２７２，２８２，２９２  機器挿入穴、  ２４，２１２，２２２，２３３，２４４，２７６，２８６，２９６  貫通孔、  ２５，１１３，１２３，１５４，１６３，１７３  凸部、  ２６，３３，４３，５３，６３，７３，８３，９６，９８，１０６，１１４，２２３，２３４，２５１，２５２，２５３  切欠き、  １３０  カード状電子機器用支持装置、  １６４，１７４，１７８，１８３，１９３，２０３  連結手段、  ２７３，２７４  リブ部、  ２８３，２８４  払拭部材、  ２９３  バンド部材、  ３００  カメラモジュール（カード状電子機器）
【図１Ａ】
0003826884.tif 000002
【図１Ｂ】
0003826884.tif 000003
【図１Ｃ】
0003826884.tif 000004
【図１Ｄ】
0003826884.tif 000005
【図１Ｅ】
0003826884.tif 000006
【図２Ａ】
0003826884.tif 000007
【図２Ｂ】
0003826884.tif 000008
【図３Ａ】
0003826884.tif 000009
【図３Ｂ】
0003826884.tif 000010
【図４Ａ】
0003826884.tif 000011
【図４Ｂ】
0003826884.tif 000012
【図５Ａ】
0003826884.tif 000013
【図５Ｂ】
0003826884.tif 000014
【図６Ａ】
0003826884.tif 000015
【図６Ｂ】
0003826884.tif 000016
【図７Ａ】
0003826884.tif 000017
【図７Ｂ】
0003826884.tif 000018
【図８Ａ】
0003826884.tif 000019
【図８Ｂ】
0003826884.tif 000020
【図９Ａ】
0003826884.tif 000021
【図９Ｂ】
0003826884.tif 000022
【図１０Ａ】
0003826884.tif 000023
【図１０Ｂ】
0003826884.tif 000024
【図１１】
0003826884.tif 000025
【図１２Ａ】
0003826884.tif 000026
【図１２Ｂ】
0003826884.tif 000027
【図１３Ａ】
0003826884.tif 000028
【図１３Ｂ】
0003826884.tif 000029
【図１４Ａ】
0003826884.tif 000030
【図１４Ｂ】
0003826884.tif 000031
【図１５】
0003826884.tif 000032
【図１６】
0003826884.tif 000033
【図１７】
0003826884.tif 000034
【図１８Ａ】
0003826884.tif 000035
【図１８Ｂ】
0003826884.tif 000036
【図１９Ａ】
0003826884.tif 000037
【図１９Ｂ】
0003826884.tif 000038
【図２０Ａ】
0003826884.tif 000039
【図２０Ｂ】
0003826884.tif 000040
【図２１Ａ】
0003826884.tif 000041
【図２１Ｂ】
0003826884.tif 000042
【図２１Ｃ】
0003826884.tif 000043
【図２２Ａ】
0003826884.tif 000044
【図２２Ｂ】
0003826884.tif 000045
【図２３】
0003826884.tif 000046
【図２４】
0003826884.tif 000047
【図２５】
0003826884.tif 000048
【図２６Ａ】
0003826884.tif 000049
【図２６Ｂ】
0003826884.tif 000050
【図２７Ａ】
0003826884.tif 000051
【図２７Ｂ】
0003826884.tif 000052
【図２８】
0003826884.tif 000053
【図２９Ａ】
0003826884.tif 000054
【図２９Ｂ】
0003826884.tif 000055
【図３０】
0003826884.tif 000056
【図３１Ａ】
0003826884.tif 000057
【図３１Ｂ】
0003826884.tif 000058
【図３２】
0003826884.tif 000059
【図３３】
0003826884.tif 000060
【図３４】
0003826884.tif 000061
【図３５】
0003826884.tif 000062
【図３６Ａ】
0003826884.tif 000063
【図３６Ｂ】
0003826884.tif 000064
【図３７Ａ】
0003826884.tif 000065
【図３７Ｂ】
0003826884.tif 000066
【図３８】
0003826884.tif 000067
【図３９Ａ】
0003826884.tif 000068
【図３９Ｂ】
0003826884.tif 000069
【図４０Ａ】
0003826884.tif 000070
【図４０Ｂ】
0003826884.tif 000071
【図４１Ａ】
0003826884.tif 000072
【図４１Ｂ】
0003826884.tif 000073
【図４２】
0003826884.tif 000074
【図４３Ａ】
0003826884.tif 000075
【図４３Ｂ】
0003826884.tif 000076
【図４４Ａ】
0003826884.tif 000077
【図４４Ｂ】
0003826884.tif 000078
【図４５】
0003826884.tif 000079
【図４６Ａ】
0003826884.tif 000080
【図４６Ｂ】
0003826884.tif 000081
【図４６Ｃ】
0003826884.tif 000082
0003826884.tif 000083